(57)【要約】【課題】フラットケーブルの弛みを確実に保持して部品との絶縁を確保し、かつ接続作業を容易に行うことができる制御装置のケーブル保持方法を提供する。【解決手段】電線を一平面に並べたフラットケーブル５と、回路部品を実装した複数の基板１，２を備えた制御装置のケーブル保持方法において、Ｚ形状に折り曲げ成形したフラットケーブル５の折り返し部を、基板２のフラットケーブルを接続するコネクタ４の横にコネクタ４と平行に設けたケーブル保持部６に差し込んでフラットケーブル５の弛み処理をする。【選択図】        図１
2004363179.tif 000002
【特許請求の範囲】
【請求項１】
電線を一平面に並べたフラットケーブルと、回路部品を実装した第１および第２基板等の複数の基板を備えた制御装置のケーブル保持方法において、
Ｚ形状に折り曲げ成形したフラットケーブルの折り返し部を、第２基板のフラットケーブルを接続するコネクタの横にコネクタと平行に設けたケーブル保持部に差し込んでフラットケーブルの弛み処理をすることを特徴とする制御装置のケーブル保持方法。
【請求項２】
前記フラットケーブルは、表面にフラットケーブルよりも曲がりにくい樹脂や金属を材料とする補強板を重ねて貼り付けたことを特徴とする請求項１に記載の制御装置のケーブル保持方法。
【請求項３】
前記ケーブル保持部を長穴形状に構成するとともに、前記第２基板の端部に形成し、前記ケーブル保持部の長辺の一部を切り欠いて開放したことを特徴とする請求項１または２に記載の制御装置のケーブル保持方法。
【請求項４】
前記ケーブル保持部を長穴形状に構成するとともに、前記第２基板の端部に形成し、前記ケーブル保持部の短辺の一部を切り欠いて開放したことを特徴とする請求項１または２に記載の制御装置のケーブル保持方法。
【発明の詳細な説明】
【０００１】
【発明の属する技術分野】
本発明は、複数の基板を接続するフラットケーブルを用いた制御装置のケーブル保持方法に関するものである。
【０００２】
【従来の技術】
複数の基板間を電気的に接続するには、従来よりフラットケーブルが用いられている（例えば特許文献１参照）。
従来の制御装置について、図を用いて説明する。
図６は、従来の制御装置の構成を示す図で、（ａ）は側面図で、（ｂ）は平面図である。図７は、２枚の基板を重ねる前の状態を示す側面図である。図８は、図７において２枚の基板を重ねた状態を示す側面図である。
図６ないし図８において、１は第１基板、２は第２基板、３は第１基板１に取付けられたコネクタ、４は第２基板２に取付けられたコネクタ、５はフラットケーブル、７，８は高さの高い部品である。
図６において、フラットケーブル５は、第１基板１のコネクタ３と、第２基板２のコネクタ４とに接続することにより、第１基板１と第２基板２と電気的に接続している。
また、コネクタ３とコネクタ４は、第１基板１と第２基板２とを重ねたときに同じ位置になるように配置し、フラットケーブル５の長さが最も短くなる構造にしている。
このように、従来の制御装置では、絶縁を確保するとともに接続作業が可能な最小寸法のフラットケーブル長とし、不安定な状況で接続作業をするという手順がとられていた。
図７に示すように、第１基板１に第２基板２を重ねる前の状態においては、第２基板２のコネクタ４の実装面が１８０度開かない不安定な状態での接続作業になっている。
また、第１基板１に第２基板２を重ねたときには、図８に示すように、フラットケーブル６は大きく湾曲し、高さの高い部品８に接近している。
【０００３】
【特許文献１】
特開平９−２６０８６７号公報
【０００４】
【発明が解決しようとする課題】
しかしながら、このような従来技術においては、次のような問題があった。
（１）各基板のフラットケーブル接続用のコネクタを対向させて配置し、フラットケーブルの長さを最短にすることでフラットケーブルの湾曲を抑える構造にしていたが、前記コネクタが基板の中程に配置されていること、コネクタの周囲に高さの高い部品があることなどからフラットケーブルは必然的に長くなり、基板を重ねるとフラットケーブルが大きく湾曲し、コネクタ近傍の部品とフラットケーブルが接触するおそれがある。また、絶縁距離の確保が難しい。
（２）また、フラットケーブルの長さが接続作業をするには短く、片手で基板を持ちながら他方の手でフラットケーブルをコネクタに差し込み、固定レバーを操作するので不安定な状態で接続作業をしなければならず、危険であり、また疲れる。
本発明は、このような問題を解決するためになされたもので、フラットケーブルの弛みを確実に保持して部品との絶縁を確保し、かつ接続作業を容易に行うことができる制御装置のケーブル保持方法を提供することを目的とするものである。
【０００５】
【課題を解決するための手段】
上記問題を解決するため、本発明は、次のように構成している。
請求項１に記載の発明は、電線を一平面に並べたフラットケーブルと、回路部品を実装した第１および第２基板等の複数の基板を備えた制御装置のケーブル保持方法において、Ｚ形状に折り曲げ成形したフラットケーブルの折り返し部を、基板のフラットケーブルを接続するコネクタの横にコネクタと平行に設けたケーブル保持部に差し込んでフラットケーブルの弛み処理をすることを特徴とするものである。
請求項２に記載の発明は、前記フラットケーブルを、表面にフラットケーブルよりも曲がりにくい樹脂や金属を材料とする補強板を重ねて貼り付けて構成することを特徴とするものである。
請求項３に記載の発明は、前記ケーブル保持部を長穴形状に構成するとともに、前記第２基板の端部に形成し、前記ケーブル保持部の長辺の一部を切り欠いて開放したことを特徴とするものである。
請求項４に記載の発明は、前記ケーブル保持部を長穴形状に構成するとともに、前記第２基板の端部に形成し、前記ケーブル保持部の短辺の一部を切り欠いて開放したことを特徴とするものである。
【０００６】
【発明の実施の形態】
以下、本発明の方法の具体的実施例について、図に基づいて説明する。
［第１の実施例］
図１は、本発明の第１の実施例における制御装置のケーブル保持方法を示すもので、（ａ）は正面図、（ｂ）は側面図である。図２は図１におけるフラットケーブルを示すもので、（ａ）は正面図、（ｂ）は側面図である。図３は図１における第２基板のケーブル保持部を内部側からみた平面図である。
図１ないし図３において、１は第１基板、２は第２基板、３は第１基板１に取付けられたコネクタ、４は第２基板２に取付けられたコネクタ、５はフラットケーブル、６は例えば長穴からなるケーブル保持部、７，８は高さの高い部品、９〜１２は補強板、１３，１４は端子である。
図１に示すように、フラットケーブル５の両端は、上下の基板１，２のコネクタ３，４に接続している。
そして、Ｚ形状に成形されたフラットケーブル５の折り返し部は、第２基板２のケーブル保持部６を貫通し、そのケーブル保持部６の壁に保持されて位置が決まっている。
また、図２に示すように、Ｚ形状に折り曲げたフラットケーブル５の直線部は、フラットケーブル５よりも曲がりにくい樹脂や金属を材料とする補強板９〜１２がフラットケーブル５に重ねて貼り付けてある。これにより、フラットケーブル５の湾曲を抑えている。
補強板９，１１は、貫通した第２基板２の表面に飛び出させ、第２基板２のケーブル保持部（長穴）６の内壁と補強板２，９とが接触するようにしている。
さらに、図３に示すように、第２基板２にフラットケーブル６を保持するケーブル保持部６は、コネクタ４の隣に配置し、フラットケーブル６が入る寸法にしている。
［第２の実施例］
図４は本発明の第２の実施例における図３相当図である。この第２の実施例においては、第２基板の端部にケーブル保持部（長穴）６を形成し、前記ケーブル保持部６の長辺の一部を切り欠いて開放している。
これにより、ケーブル保持部６へのフラットケーブル５の差し込みを容易に行うことができる。
［第３の実施例］
図５は本発明の第３の実施例における図３相当図である。この第３の実施例においては、第２基板の端部にケーブル保持部（長穴）６を形成し、前記ケーブル保持部６の短辺の一部を切り欠いて開放している。
これにより、ケーブル保持部６へのフラットケーブル５の差し込みを容易に行うことができる。
【０００７】
【発明の効果】
以上述べたように、本発明によれば、フラットケーブルの弛みを確実に保持して部品との絶縁を確保することができるとともに、接続作業を容易に行うことができるという効果がある。
【図面の簡単な説明】
【図１】本発明の第１の実施例における制御装置のケーブル保持方法を示すもので、（ａ）は正面図、（ｂ）は側面図である。
【図２】図１におけるフラットケーブルを示すもので、（ａ）は正面図、（ｂ）は側面図である。
【図３】図１における第２基板のケーブル保持部を内部側からみた平面図である。
【図４】本発明の第２の実施例における図３相当図である。
【図５】本発明の第３の実施例における図３相当図である。
【図６】従来技術における制御装置のケーブル保持方法を示すもので、（ａ）は正面図、（ｂ）は側面図である。
【図７】従来技術における作業手順を示す側面図で、２枚の基板を重ねる前の状態を示している。
【図８】従来技術における作業手順を示す側面図で、２枚の基板を重ねた状態を示している。
【符号の説明】
１  第１基板
２  第２基板
３，４  コネクタ
５  フラットケーブル
６  ケーブル保持部
７，８  高さの高い部品
９〜１２  補強板
１３，１４  端子
【図１】
2004363179.tif 000003
【図２】
2004363179.tif 000004
【図３】
2004363179.tif 000005
【図４】
2004363179.tif 000006
【図５】
2004363179.tif 000007
【図６】
2004363179.tif 000008
【図７】
2004363179.tif 000009
【図８】
2004363179.tif 000010